(57)【要約】      （修正有）【課題】部品点数を軽減するために中骨を使用しなくても、扇面の形が崩れることなく、簡単に扇面を開閉できる扇子を提供する。【解決手段】蛇腹状に折り畳み可能な扇面２と、扇面２の折り畳まれた両端面にそれぞれ固定される長尺な側板３と、扇面２の基部を折り畳んだ状態で固定する固定部４と、固定部４に扇面２を開閉する方向に揺動可能に結合され、かつ、側板３の基部がそれぞれ接続される１対の可動部５とを備える。各可動部５は、側板３の基部が装着される装着部と、固定部４との連結側端部に設けられ、側板の長手方向と直交する方向で同軸上に突出する２つのヒンジ軸部７とを有する。固定部４は、折り畳まれた状態の扇面２の基部を収納する収納部と、各可動部５のヒンジ軸部７を揺動可能に支持する軸受け部とを有する。【選択図】図１
0003156016.tif 000002
【実用新案登録請求の範囲】
【請求項１】
蛇腹状に折り畳み可能な扇面と、前記扇面の折り畳まれた両端面にそれぞれ固定される長尺な側板と、前記扇面の基部を折り畳んだ状態で固定する固定部と、この固定部に前記扇面を開閉する方向に揺動可能に結合されると共に前記側板の基部がそれぞれ接続される１対の可動部とを備え、
各可動部は、それぞれ前記側板の基部が装着される装着部と、前記固定部との連結側端部に設けられ、前記側板の長手方向と直交する方向で同軸上に突出する２つのヒンジ軸部とを有し、
前記固定部は、折り畳まれた状態の前記扇面の基部を収納する収納部と、各可動部の２つのヒンジ軸部を揺動可能に支持する軸受け部とを有することを特徴とする扇子。
【請求項２】
請求項１に記載の扇子において、
前記各可動部のヒンジ軸部は、外周面に係合凸部が形成され、
前記固定部の各軸受け部における前記ヒンジ軸部の外周面と対向する内周面には、前記ヒンジ軸部の回転動作を抑制するように前記係合凸部と係合する係合突起が周方向に形成されている扇子。
【請求項３】
請求項１又は２に記載の扇子において、
前記１対の可動部は同一形状に形成されており、
前記固定部は、同一形状の１対の分割部材から構成され、一方の分割部材は一方の可動部に連結され、他方の分割部材は他方の可動部に連結され、各分割部材は連結される可動部のヒンジ軸部を支持する軸受け部を有し、１対の分割部材を接合することにより、前記扇面の基部を収納する収納部が形成される扇子。
【請求項４】
請求項３に記載の扇子において、
前記各分割部材及び前記各可動部は熱可塑性樹脂で形成されている扇子。
【考案の詳細な説明】
【技術分野】
【０００１】
本考案は、中骨を有さない扇子であっても確実に開閉できる扇子に関する。
【背景技術】
【０００２】
従来から扇子といえば、一対の親骨の間に複数本の中骨を配置し、これら親骨及び中骨の各基端部に要軸を貫通させて、親骨及び中骨をこの要軸に対して回転できるようにすると共に、親骨及び中骨の先端側に、布地や紙で形成される蛇腹状に折り曲げ可能な扇面が固着されて構成される。
【０００３】
しかしながら、従来の扇子の構造では、扇面と複数の中骨とを中骨が一定の間隔となるように固着する煩雑な作業を要するし、構成部品点数も非常に多くなるので、生産性が悪い。
【０００４】
そこで、内骨を使用しないで蛇腹状に折り曲げられた扇面を有する扇子が提案されている（特許文献１）。特許文献１に開示されている扇子は、扇面が比較的厚い紙で形成されており、蛇腹状に折り曲げられる。そして、折り畳まれた扇面の両端面の基端部には、端面と同一幅の基端部覆いバンドが両方の端面に跨るように固定されている。このような扇子は、基端部覆いバンドで覆われた扇面の一端を基端として他端を広げることによって扇状に拡げることができる。
【先行技術文献】
【特許文献】
【０００５】
【特許文献１】実公平８−３２９１号公報
【考案の概要】
【考案が解決しようとする課題】
【０００６】
しかしながら、特許文献１に開示されている扇子は、比較的厚い紙で形成された扇面を蛇腹状に折り曲げ、折り畳まれた扇面の両端面の基端部に基端部覆いバンドを固定しているだけなので扇面を扇状に拡げ難く、畳み難いし、形が崩れ易い。また、特許文献１の扇子は、中骨を使用せず、単に厚紙を折り曲げて扇面を形成し、折り畳まれた扇面の両端面の基端部に基端部覆いバンドを固定しているだけなので、扇面を扇状に完全に開いた状態を維持するためには、扇面の基端部を折り畳まれた状態となるように手で押えながら、先端部も扇状に開いた状態を維持するように手で保持しなくてはならない。
【０００７】
本考案は、上記事情に鑑みてなされ、扇面の形が崩れることなく簡単に扇面を開閉できる扇子を提供することを目的とする。また、手で保持することなく確実に開いた状態を維持できる扇子を提供することを目的とする。
【課題を解決するための手段】
【０００８】
本考案に係る扇子は、蛇腹状に折り畳み可能な扇面と、前記扇面の折り畳まれた両端面にそれぞれ固定される長尺な側板と、前記扇面の基部を折り畳んだ状態で固定する固定部と、この固定部に前記扇面を開閉する方向に揺動可能に結合されると共に前記側板の基部がそれぞれ接続される１対の可動部とを備え、
各可動部は、それぞれ前記側板の基部が装着される装着部と、前記固定部との連結側端部に設けられ、前記側板の長手方向と直交する方向で同軸上に突出する２つのヒンジ軸部とを有し、
前記固定部は、折り畳まれた状態の前記扇面の基部を収納する収納部と、各可動部の２つのヒンジ軸部を揺動可能に支持する軸受け部とを有することを特徴とする。
【０００９】
このような構成によれば、折り畳んだ状態で前記扇面の基部を前記固定部で固定するので、前記扇面の基部は、手で保持することなく常に折り畳まれた状態に維持することができる。しかも、折り畳んだ状態の前記扇面の両端面に側板を固定し、これら側板の基部に前記可動部が装着されているので、これら可動部を介して各側板を拡げるだけで、前記扇面を形が崩れることなく、簡単、かつ、確実に開閉することができる。
【００１０】
また、本考案の扇子は、前記各可動部のヒンジ軸部の外周面に係合凸部を形成し、前記固定部の各軸受け部における前記ヒンジ軸部の外周面と対向する内周面に、前記ヒンジ軸部の回転動作を抑制するように前記係合凸部と係合する係合突起を周方向に形成することが好ましい。
このような構成によれば、前記各可動部を前記固定部に対して揺動させた時に、前記可動部の前記係合凸部が前記固定部の係合突起に係合すると、前記可動部の揺動動作が抑制されて前記扇面は所定の角度で開いた状態に維持される。
【００１１】
さらに、本考案の扇子は、前記１対の可動部が同一形状に形成され、前記固定部は同一形状の１対の分割部材から構成され、一方の分割部材は一方の可動部に連結され、他方の分割部材は他方の可動部に連結され、各分割部材は連結される可動部のヒンジ軸部を支持する軸受け部を有し、１対の分割部材を接合することにより、前記扇面の基部を収納する収納部が形成されるように構成することが好ましい。
このような構成によれば、分割部材と可動部が連結された構成部材を１対設けて、分割部材同士を接合することにより固定部と可動部とが連結された状態にすることができるので、部品の共通化が図れ、部品の製造が容易となる。しかも、分割部材同士を接合して固定部を構成するので、扇面の基部へ固定部を固定する作業も簡単に行なえる。
【００１２】
さらに、この場合には、前記各分割部材及び前記各可動部は熱可塑性樹脂で形成することが好ましい。これにより、射出成形が可能となって、低コストで部品を作製できる。
【考案の効果】
【００１３】
本考案の扇子によれば、折り畳んだ状態で扇面の基部を前記固定部で固定するので、前記扇面の基部は、手で保持することなく常に折り畳まれた状態に維持することができる。しかも、折り畳んだ状態の前記扇面の両端面に固定される側板を各可動部を介して拡げるだけで、前記扇面を形が崩れることなく、簡単、かつ、確実に開閉することができる。
【００１４】
さらに、各可動部のヒンジ軸部に係合凸部を形成し、前記固定部に前記ヒンジ軸部の回転動作を抑制する係合突起を形成することにより、各可動部を前記固定部に対して揺動させた時に、前記係合凸部が前記係合突起に係合すると各可動部の揺動動作が抑制されて、前記扇面を所定の角度で開いた状態に維持することができる。
【図面の簡単な説明】
【００１５】
【図１】本考案の実施形態に係る扇子の全体斜視図である。
【図２】本考案の実施形態に係る扇子の閉じた状態における扇子の一部を示す部分切欠平面図である。
【図３】本考案の実施形態に係る扇子における固定部の分割部材と可動部とが連結された状態を示す斜視図である。
【図４】本考案の実施形態に係る扇子の閉じた状態における固定部の分割部材と可動部との連結部分を示す部分切欠平面図である。
【図５】本考案の実施形態に係る扇子における可動部の正面図である。
【図６】本考案の実施形態に係る扇子における可動部の部分切欠平面図である。
【図７】本考案の実施形態に係る扇子の少し開いた状態における固定部の分割部材と可動部とが連結された状態を示す斜視図である。
【図８】図７の扇子の状態における固定部の分割部材と可動部との連結部分を示す部分切欠平面図である。
【図９】本考案の実施形態に係る扇子の全開状態における固定部の分割部材と可動部とが連結された状態を示す斜視図である。
【図１０】図９の扇子の全開状態における固定部の分割部材と可動部との連結部分を示す部分切欠平面図である。
【考案を実施するための形態】
【００１６】
以下に、本考案の実施形態について添付図面を参照しながら説明する。
図１に示すように、本実施形態の扇子１は、蛇腹状に折り曲げられた扇面２と、扇面２を折り畳んだ時の端面となる部分にそれぞれ固定される長尺な１対の側板３と、扇面２の基部を折り畳んだ状態で固定する固定部４と、この固定部４に扇面２を開閉する方向に揺動可能に結合される１対の可動部５とを有している。
【００１７】
扇面２は、紙から形成されており、この紙は、固定部４に対して各可動部５が揺動した時に可動部５の動きに伴って扇状に拡がりながら固定部４と可動部５との連結部において湾曲する柔らかさを有する。さらに、扇面２は、１．０〜２．０ｃｍ幅に蛇腹状に折り曲げられている。本実施形態では、扇面２は、蛇腹状に折り曲げられるだけであって、従来のような中骨は設けられていない。なお、扇面２に中骨を設けるようにしてもよい。
【００１８】
側板３は、厚紙で形成されており、折り畳まれた状態の扇面２の幅よりも幅が大きく、基部となる一端が可動部５の後述する装着部５３に装着され、先端部となる他端が扇面２の先端から突出する長さに形成されている。なお、図示していないが、側板３における装着部５３に装着される側の先端部には、可動部５の後述するストッパ５６によって係止される凹部が形成されている。
【００１９】
さらに、これら側板３における扇面２から突出した先端部の対向面には、それぞれ磁石３１が取り付けられている。これら磁石３１を結合させることにより、１対の側板３が閉じた状態となって扇面２は折り畳まれた状態が維持される。各磁石３１は、Ｎ極とＳ極とが側板３の幅方向に交互に現れるように形成されており、各磁石３１が結合された状態から側板３を平面方向にずらすことにより、Ｎ極とＳ極とが対向して磁石３１が離れるようなっている。
【００２０】
図１から図３に示すように、固定部４は、同一形状の１対の分割部材４１から構成され、各可動部５同士も同一形状に形成されている。分割部材４１及び可動部５は、耐摺動性及び耐衝撃性に優れ、硬度の高い熱可塑性樹脂で形成されるのが好ましく、例えばＰＯＭ（ポリアセタール）が挙げられる。これら分割部材４１及び可動部５は、射出成形により成形することができる。１対の分割部材４１が接合されて固定部４が構成され、一方の分割部材４１に一方の可動部５が連結され、他方の分割部材４１に他方の可動部５が連結される。
【００２１】
分割部材４１は、長方形状の平面部４２と、この平面部４２の１対の長辺部とこれら長辺部の一端を連結する短辺部とに形成される壁面部４３とを有し、他方の短辺部は開放されて可動部５が配置される。
【００２２】
壁面部４３における一方の長辺部の端面には、２本のピン４４が突出して形成されており、他方の長辺部の端面には、他方の分割部材４１に形成されるピン４４が嵌合される穴４５が形成されている。一方の分割部材４１のピン４４を他方の分割部材４１の穴４５に、他方の分割部材４１のピン４４を一方の分割部材４１の穴４５に嵌合することにより、各分割部材４１の壁面部４３が接合される。各分割部材４１が接合されると、対向する平面部４２と接合された１対の壁面部４３とにより、折り畳まれた扇面２の基部が収納される収納部４６が形成される。この収納部４６に扇面２の基部を収納することにより、扇面２の基部が固定部４により拡がらないように固定される。
【００２３】
また、固定部４は、壁面部４３の長辺部における可動部５が配設される側の両端部に、可動部５の後述するヒンジ軸部７が挿入される孔が形成されており、この孔がヒンジ軸部７を揺動可能に支持する軸受け部６となる。２つの軸受け部６は、同軸上に位置するように形成されており、壁面部４３の端部側面は可動部５の揺動に支障のないように円弧に形成されている。
【００２４】
さらに、図４に示すように、軸受け部６におけるヒンジ軸部７の外周面と対向する内周面には、ヒンジ軸部７の外周面に形成される複数の係合凸部７１と係合する係合突起６１が周方向に６つ形成されている。係合突起６１は、２つの係合突起６１が間隔を空けずに設けられており、この２つの係合突起６１を１対として、3対の係合突起６１が周方向に等間隔を空けて設けられている。
【００２５】
可動部５は、図２から図６に示すように、長方形状で一方の短辺部の長さが他方の短辺部よりも長く形成された平面部５１と、この平面部５１の長辺部に形成される１対の側面部５２とを有する。可動部５における長い短辺部側は側板３が装着される装着部５３となり、各側面部５２における短い短辺部側の端部に段部５４が形成されて、これら段部５４における側面部５２の外側に側板３の長尺方向と直交する方向にヒンジ軸部７が突設されている。段部５４のヒンジ軸部７の外周面と対向する面は、円弧状に形成されている。
【００２６】
装着部５３は、図５に示すように、側面部５２における端部内側に平面部５１と間隔を空けて突設された押さえ部５５が形成されている。この押さえ部５５と平面部５１との間に側板３の幅方向端部を挿通させるようになっている。さらに、内側の平面部５１における長手方向中央部で側面部５２に近接する位置には、Ｌ字状のストッパ５６が形成されている。ストッパ５６は、側面部５２と平行して延びるテーパ部５７とこのテーパ部５７の端部から側面部５２に向かって屈曲する係止部５８とを有する。テーパ部５７は、固定部４側が高くなる傾斜面に形成され、係止部５８は、平面部５１から突設した状態で形成されている。ストッパ５６は、押さえ部５５を通過した側板の長手方向端部をテーパ部５７の傾斜面に沿わして移動させた後、係止部５８の側面に側板３の先端部に形成した凹部を当接させることにより、側板３が可動部５から抜けないようする。
【００２７】
また、ヒンジ軸部７は、図５に示すように、各段部５４に同軸となるように円錐状に形成されており、さらに、図６に示すように軸の外周面に等間隔で軸方向に延びる３つの係合凸部７１が形成されている。さらに、これら係合凸部７１は、断面が円弧状に形成されると共に、その頂部に凹部７２が形成されている。この凹部７２も軸方向に延びるように形成され、凹部７２が固定部４に形成した係合突起６１の頂部に圧接するようになっている。さらに、ヒンジ軸部７の基部には、分割部材４１の軸受け部６が形成されている壁面部４３を受け止めるスラスト軸受け部７３が形成されている。このスラスト軸受け部７３は、段部５４から突設した高さの低い円柱形状をしており、その外径は分割部材４１の軸受け部６の外周面の内径よりも大きくしている。
【００２８】
本実施形態の扇子１は、図２に示すように、扇面２を折り畳んで閉じた状態にするときは、図４に示すように、可動部５のヒンジ軸部７に形成した係合凸部７１は、固定部４の軸受け部６に形成した１対の係合突起６１と他の１対の係合突起６１との間に位置するようになっている。この状態では、ヒンジ軸部７は、隣り合う係合突起６１間に位置するだけで、係合凸部７１は係合突起６１には係合しない。扇面２は、側板３に設けた磁石３１が結合することにより、折り畳んだ状態が維持される。
【００２９】
また、扇子１は、係合していた磁石３１を離して側板３同士を開いていくと、図７に示すように、可動部５も側板３の動きに伴って固定部４に対して揺動し、図１に示すように、扇面２は、折り畳んだ状態から広がっていく。このとき、図８に示すように、可動部５のヒンジ軸部７に形成した係合凸部７１が、固定部４の軸受け部６に形成した１対の係合突起６１のうちの一つに接触すると、この接触した係合突起６１に係合凸部７１が乗り上げて、係合凸部７１の凹部７２が係合突起６１に圧接する。この状態では、ヒンジ軸部７は、係合凸部７１の凹部７２が係合突起６１に圧接するので、可動部５にさらに力を加えない限り、ヒンジ軸部７の回転動作が抑制され、側板３が所定の角度で開いた状態に維持される。
【００３０】
さらに、図７及び図８の状態から側板３を開くと、図９に示すように、可動部５も側板３の動きに伴って固定部４に対して揺動して全開状態になる。このとき、図１０に示すように、可動部５のヒンジ軸部７に形成した係合凸部７１は、今まで圧接していた係合突起６１から隣接するもう一つの係合突起６１に接触し、この係合突起６１に係合凸部７１が乗り上げると係合凸部７１の凹部７２がこの係合突起６１に圧接する。この状態でも、ヒンジ軸部７は、係合凸部７１の凹部７２が係合突起６１に圧接するので、可動部５にさらに力を加えない限り、ヒンジ軸部７の回転動作が抑制され、側板３が全開状態に維持される。
【００３１】
さらに、各可動部５のヒンジ軸部７に係合凸部７１を形成し、固定部４に係合突起６１を形成しているので、各可動部５を固定部４に対して揺動させた時に、係合凸部７１が係合突起６１に係合すると各可動部５の揺動動作が抑制されて、扇面２を所定の角度で開いた状態に維持することができる。
【００３２】
また、分割部材４１と可動部５が連結された構成部材を１対設けることにより固定部４と可動部５とが連結された状態にすることができるので、部品の共通化が図れ、部品の製造が容易となる。しかも、分割部材４１同士を接合するだけで、固定部４を扇面２の基部へ固定することができるので、扇面２への固定部４の取付作業も簡単に行なえる。また、分割部材４１と可動部５を熱可塑性樹脂で射出成形により形成しているので、低コストで部品を作製できる。
【００３３】
なお、本考案は、上記実施形態に係る扇子に限定されるもではなく、本考案の技術的範囲において種々の変形が可能である。
【符号の説明】
【００３４】
１  扇子
２  扇面
３  側板
４  固定部
５  可動部
６  軸受け部
７  ヒンジ軸部
３１  磁石
４１  分割部材
４６  収納部
５３  装着部
６１  係合突起
７１  係合凸部
７２  凹部
【図１】
0003156016.tif 000003
【図２】
0003156016.tif 000004
【図３】
0003156016.tif 000005
【図４】
0003156016.tif 000006
【図５】
0003156016.tif 000007
【図６】
0003156016.tif 000008
【図７】
0003156016.tif 000009
【図８】
0003156016.tif 000010
【図９】
0003156016.tif 000011
【図１０】
0003156016.tif 000012